(57)【要約】      （修正有）【課題】スクリーンの目洗い作用を強くしてスクリーンの目詰まりを防止したスクリーン装置の提供。【解決手段】スクリーン装置Ａは、製紙原料を受け入れる槽３と、この槽３を一次室３Ａと二次室３Ｂに仕切るスクリーン１と、一次室３Ａに連通して槽３に製紙原料を供給する製紙原料供給通路４と、一次室３Ａに連通し、スクリーン１を通過しない異物を含む製紙原料を槽３の外へ排出する異物排出通路５と、二次室３Ｂに連通し、スクリーン１を通過した製紙原料を槽３の外へ排出する製紙原料排出通路６と、一次室３Ａに回転自在に設けられ、製紙原料を攪拌するフォイル２と、一次室３Ａ内に希釈水を導入する希釈水導入通路と、希釈水導入通路の少なくとも先端側がフォイル２の回転方向に向かうように傾斜し、希釈水導入通路の先端部は開口し先端開口部を形成し、先端開口部はフォイル２の希釈水側の縁部に対向しているものである。【選択図】図１
2006169662.tif 000002
【特許請求の範囲】
【請求項１】
製紙原料を受け入れる槽と、
この槽を一次室と二次室に仕切るスクリーンと、
前記槽の前記一次室に連通して前記槽に前記製紙原料を供給する製紙原料供給通路と、
前記一次室に連通し、前記スクリーンを通過しない異物を含む前記製紙原料を前記槽の外へ排出する異物排出通路と、
前記二次室に連通し、前記スクリーンを通過した前記製紙原料を前記槽の外へ排出する製紙原料排出通路と、
前記スクリーンの内側である前記一次室に回転自在に設けられ、前記一次室内の前記製紙原料を攪拌するフォイルと、
前記一次室内に希釈水を導入する希釈水導入通路と、
前記希釈水導入通路の少なくとも先端側が前記フォイルの回転中心に近づくにつれ前記フォイルの回転方向に向かうように傾斜し、
前記希釈水導入通路の先端側の先端部は開口し先端開口部を形成し、該先端開口部は前記フォイルの前縁から後縁に至る希釈水側の縁部に対向している
ことを特徴とするスクリーン装置。
【請求項２】
希釈水導入通路は、一端を槽外に、他端を槽内に、中途は槽を貫通し、前記槽に固着された第１の通路と、一端を前記第１の通路の前記他端に連通し、他端をフォイルの前縁から後縁に至る希釈水側の縁部に対向する先端開口部である第２の通路とを有し、
スクリーンは円筒体で、中途にリング状部を形成し、このリング状部に前記第２の通路が形成され、前記スクリーンは、円筒体の軸心が垂直方向になるように槽内に設けられ、    前記第２の通路の前記一端は、前記スクリーンの外周形状の一部である円弧状の曲面に形成された第２の曲面部を有し、
前記第１の通路の前記他端は、前記第２の曲面部に当接するように円弧状の曲面に形成された第１の曲面部を有している
ことを特徴とする請求項１記載のスクリーン装置。
【発明の詳細な説明】
【技術分野】
【０００１】
本発明は、スクリーン装置に係り、特に、スクリーンの目洗い作用を強くしてスクリーンの目詰まりをより効果的に行うことができるスクリーン装置に関する。
【背景技術】
【０００２】
スクリーン装置にあっては、スクリーンの内側にフォイルが位置し、フォイルにより製紙原料を攪拌し、製紙原料中の良繊維はスクリーンを通過し、製紙原料中の異物はスクリーンを通過しないようにして選別を行うようにしている（例えば、特許文献１参照）。
【特許文献１】特開２００４−１３７６２１（図２参照）
【発明の開示】
【発明が解決しようとする課題】
【０００３】
上述したスクリーン装置にあっては、製紙原料を精選する際、スクリーン（２）内には、時間の経過に伴い、繊維と共に水も排出され、スクリーン（２）内の製紙原料流れの下流側においては、製紙原料の濃度が高くなる。そのため、水供給通路部材（６）によりスクリーン（２）内に水を供給して製紙原料の濃度を低下させてスクリーン（２）の目詰まりの防止を図っているが、スクリーン（２）の目洗い作用の点においては、未だ改善の余地があった。
本発明は、上述した問題点を除去するようにしたスクリーン装置を提供するものである。
【課題を解決するための手段】
【０００４】
前記した目的を達成するための本発明のスクリーン装置は、製紙原料を受け入れる槽と、この槽を一次室と二次室に仕切るスクリーンと、前記槽の前記一次室に連通して前記槽に前記製紙原料を供給する製紙原料供給通路と、前記一次室に連通し、前記スクリーンを通過しない異物を含む前記製紙原料を前記槽の外へ排出する異物排出通路と、前記二次室に連通し、前記スクリーンを通過した前記製紙原料を前記槽の外へ排出する製紙原料排出通路と、前記スクリーンの内側である前記一次室に回転自在に設けられ、前記一次室内の前記製紙原料を攪拌するフォイルと、前記一次室内に希釈水を導入する希釈水導入通路と、前記希釈水導入通路の少なくとも先端側が前記フォイルの回転中心に近づくにつれ前記フォイルの回転方向に向かうように傾斜し、前記希釈水導入通路の先端側の先端部は開口し先端開口部を形成し、該先端開口部は前記フォイルの前縁から後縁に至る希釈水側の縁部に対向しているものである。
【０００５】
また、請求項２記載のスクリーン装置は、請求項１記載のスクリーン装置において、希釈水導入通路は、一端を槽外に、他端を槽内に、中途は槽を貫通し、前記槽に固着された第１の通路と、一端を前記第１の通路の前記他端に連通し、他端をフォイルの前縁から後縁に至る希釈水側の縁部に対向する先端開口部である第２の通路とを有し、スクリーンは円筒体で、中途にリング状部を形成し、このリング状部に前記第２の通路が形成され、前記スクリーンは、円筒体の軸心が垂直方向になるように槽内に設けられ、前記第２の通路の前記一端は、前記スクリーンの外周形状の一部である円弧状の曲面に形成された第２の曲面部を有し、前記第１の通路の前記他端は、前記第２の曲面部に当接するように円弧状の曲面に形成された第１の曲面部を有しているものである。
【発明の効果】
【０００６】
請求項１記載のスクリーン装置によれば、希釈水導入通路の少なくとも先端側がフォイルの回転中心に近づくにつれフォイルの回転方向に向かうように傾斜しているため、フォイルの回転方向と逆向きに希釈水を導入して、製紙原料の回転速度を減じるようにしている。その結果、フォイルの回転速度と製紙原料の回転速度との差を大きく取ることができ、フォイルが通過したスクリーンの開口部付近の一次室の部位より二次室の部位の方が一時的に圧力が高くなり、フォイルの回転速度と製紙原料の回転速度との差を大きく取った分、スクリーンを通過した製紙原料の逆流が多くなり、スクリーンの目洗い作用を強く作用させることができ、スクリーンの目詰まりをより効果的に行うことができる。
【０００７】
また、請求項２記載のスクリーン装置によれば、前述した請求項１記載の発明の効果に加え、第１の通路の他端は、第２の通路の第２の曲面部に当接するように円弧状の曲面に形成された第１の曲面部を有している、つまり、希釈水導入通路の第１の通路と第２の通路とは分離しているため、第１の通路をそのままの状態で、スクリーンを垂直方向に移動させることができ、スクリーンの保守、取り替え等を簡易に行うことができる。
【実施例】
【０００８】
本発明の一実施例のスクリーン装置を図面を参照して説明する。
図１乃至図７において、Ａはスクリーン装置で、スクリーン装置Ａは、スクリーン１の内側に対向して設けられたフォイル２の回転により、製紙原料をスクリーン１に供給して、繊維と異物を選別すると共に、スクリーン１の目洗い作用を行って、継続的に製紙原料から異物を除去することができるようになっている。
【０００９】
スクリーン１とフォイル２は、製紙原料を受け入れる槽３内に設けられている。槽３は、スクリーン１により一次室３Ａと二次室３Ｂに仕切られている。槽３には、製紙原料を受け入れる供給口３ａと、スクリーン１を通過した製紙原料を槽３の外へ排出する製紙原料排出口３ｂと、スクリーン１を通過しない異物を含む製紙原料を槽３の外へ排出する異物排出口３ｃとを有する。
４は、槽３の一次室３Ａに連通して槽３に製紙原料を供給する製紙原料供給通路で、５は、一次室３Ａに連通し、スクリーン１を通過しない異物を含む製紙原料を槽３の外へ排出する異物排出通路で、６は、二次室３Ｂに連通し、スクリーン１を通過した製紙原料を槽３の外へ排出する製紙原料排出通路である。
【００１０】
スクリーン１は、例えば、円筒形状の側面に製紙原料を通過させる複数の開口部１１［開口部１１は、例えば、丸孔、スリット（例えば、細長い長方形状の隙間）、棒状の長手形状部材を隙間（長手形状の隙間）を有して環状に並設した場合の隙間］を有したもので、天井部１２と共に底面部１３を開放して槽３内に立設して固定されている。
【００１１】
また、フォイル２は、スクリーン１の内側である一次室３Ａに回転自在に設けられ、一次室３Ａ内の製紙原料を攪拌するもので、例えば、槽３内に設けられた回転軸３１に接続された円盤状部材２１の天井部及び側部より張り出すと共に、垂下して複数設けられている。フォイル２は複数で、例えば、本実施例では、４段に設けられ、各段には４個づつ設けられている。なお、フォイル２は多段に亘って設けられているが、図示しないが、円盤状部材２１の天井部より張り出すと共に細長く垂下するように一段で形成しても良い。    そして、フォイル２は、図示しないモーターから動力伝達部材７（例えば、ベルト）を介して回転するようになっている。
【００１２】
また、８は、一次室３Ａ内に希釈水を導入する希釈水導入通路で、希釈水導入通路８の先端側がフォイル２の回転中心Ｏ（図２参照）に近づくにつれフォイル２の回転方向に向かうように傾斜し、希釈水導入通路８の先端側の先端部は開口し先端開口部８Ａを形成している（図３及び図４参照）。先端開口部８Ａはフォイル２の前縁２ａから後縁２ｂに至る希釈水側の縁部２Ａに対向するようにしている（図４参照）。
希釈水導入通路８は、第１の通路８１と第２の通路８２とを有している。第１の通路８１の一端Ａは槽３の外に、第１の通路８１の他端Ｂは槽３の内に、第１の通路８１の中途は槽３を貫通するように、第１の通路８１は槽３に固着（例えば、溶接）されている（図３及び図４参照）。
また、第２の通路８２の一端Ｃは第１の通路８１の他端Ｂに連通し、他端Ｄ（先端開口部８Ａ）をフォイル２の前縁２ａから後縁２ｂに至る希釈水側の縁部２Ａに対向するようになっている。なお、希釈水導入通路８の位置は、望ましくは、スクリーン１の高さＨの１／２以下が良い。
また、上述したスクリーン１は円筒体で、中途にリング状部Ｒを形成し、このリング状部Ｒに第２の通路８２が形成され、スクリーン１は、円筒体の軸心が垂直方向になるように槽３内に設けられ、第２の通路８２の一端Ｃは、スクリーン１の外周形状の一部である円弧状の曲面に形成された第２の曲面部Ｋ２を有し、第１の通路８１の他端Ｂは、第２の曲面部Ｋ２に当接するように円弧状の曲面に形成された第１の曲面部Ｋ１を有している。
【００１３】
従って、希釈水導入通路８の先端側がフォイル２の回転中心に近づくにつれフォイル２の回転方向に向かうように傾斜しているため、フォイル２の回転方向と逆向きに希釈水が導入され、製紙原料の回転速度が減じられる。
その結果、フォイル２の回転速度と製紙原料の回転速度との差を大きく取ることができ、フォイル２が通過したスクリーン１の開口部１１付近の一次室３Ａの部位Ｘ（図４参照）より二次室３Ｂの部位Ｙの方が一時的に圧力が高くなり、フォイル２の回転速度と製紙原料の回転速度との差を大きく取ることができ、その分、スクリーン１を通過した製紙原料の逆流が多くなり、スクリーン１の目洗い作用を強く作用させることができ、スクリーン１の目詰まりをより効果的に行うことができる。
【００１４】
なお、第１の通路８１の他端Ｂは、第２の通路８２の第２の曲面部Ｋ２に当接するように円弧状の曲面に形成された第１の曲面部Ｋ１を有している、つまり、希釈水導入通路８の第１の通路８１と第２の通路８２とは分離しているため、図５（図５の一部を分解して説明する概略的説明図である図７参照）に示すように、第１の通路８１をそのままの状態で、第１の通路６１をそのままの状態で、スクリーン１を垂直方向に移動させることができ、スクリーン１の保守、取り替え等を簡易に行うことができる。
また、上述の実施例では、リング状部Ｒにおいて、第２の通路８２を全体に亘って傾斜するようにしたが、図８及び図９に示すように、先端開口部８Ａに近い側のみ傾斜するようにしても良く、要は、希釈水導入通路８の少なくとも先端側がフォイル２の回転中心Ｏに近づくにつれフォイル２の回転方向に向かうように傾斜するようにすれば良い。
【図面の簡単な説明】
【００１５】
【図１】図１は、本発明の一実施例のスクリーン装置の概略的断面図である。
【図２】図２は、図１の２−２線による概略的断面図である。
【図３】図３は、図１の一部を拡大した概略的一部拡大断面図である。
【図４】図４は、図２の一部を拡大した概略的一部拡大断面図である。
【図５】図５は、図１のスクリーン装置の概略的分解断面図である。
【図６】図６は、図５の２−２線による概略的断面図である。
【図７】図７は、図５の一部を分解して説明する概略的説明図である。
【図８】図８は、図１のスクリーン装置と異なる他の実施例のスクリーン装置で、図２に対応する概略的断面図である。
【図９】図９は、図８の一部を拡大して示す概略的一部拡大断面図である。
【符号の説明】
【００１６】
Ａ      ・・・・・スクリーン装置
１      ・・・・・スクリーン
２      ・・・・・フォイル
２Ａ    ・・・・・希釈水側の縁部
２ａ    ・・・・・前縁
２ｂ    ・・・・・後縁
３      ・・・・・槽
３Ａ    ・・・・・一次室
３Ｂ    ・・・・・二次室
４      ・・・・・製紙原料供給通路
５      ・・・・・異物排出通路
６      ・・・・・製紙原料排出通路
８      ・・・・・希釈水導入通路
８Ａ    ・・・・・先端開口部
【図１】
2006169662.tif 000003
【図２】
2006169662.tif 000004
【図３】
2006169662.tif 000005
【図４】
2006169662.tif 000006
【図５】
2006169662.tif 000007
【図６】
2006169662.tif 000008
【図７】
2006169662.tif 000009
【図８】
2006169662.tif 000010
【図９】
2006169662.tif 000011